(57)【要約】【課題】  機器情報管理サーバーの設置後に電子機器が設置される場合に機器情報管理サーバーの操作者の利便性を向上することができるネットワークシステム、機器情報管理サーバーおよび機器情報管理プログラムを提供する。【解決手段】  ネットワークシステムは、画像形成装置と、画像形成装置と同一のネットワークに接続されて画像形成装置の機器情報を管理する機器情報管理サーバーとを備え、機器情報管理サーバーは、画像形成装置のＩＰアドレスの登録の指示を受け付けた場合に、登録の指示を受け付けたＩＰアドレスを画像形成装置の機器情報に含めて管理し、管理しているＩＰアドレスによってネットワークを介して画像形成装置から画像形成装置の機器情報のうちの少なくとも１つの情報を取得し（Ｓ１２６）、取得した機器情報を管理する（Ｓ１２７）ことを特徴とする。【選択図】  図５
2020008988.tif 000002
【特許請求の範囲】
【請求項１】
電子機器と、
前記電子機器と同一のネットワークに接続されて前記電子機器の機器情報を管理する機器情報管理サーバーと
を備え、
前記機器情報管理サーバーは、
前記電子機器のＩＰアドレスを含む前記機器情報を管理する機器情報管理手段と、
前記機器情報管理手段によって管理されている前記ＩＰアドレスによって前記ネットワークを介して前記電子機器から前記電子機器の前記機器情報のうちの少なくとも１つの情報を取得する機器情報取得手段と
を備え、
前記機器情報管理手段は、前記電子機器の前記ＩＰアドレスの登録の指示を受け付けた場合に、登録の指示を受け付けた前記ＩＰアドレスを前記電子機器の前記機器情報に含めて管理し、
前記機器情報管理手段は、前記機器情報取得手段によって取得された情報を前記機器情報に含めて管理することを特徴とするネットワークシステム。
【請求項２】
前記機器情報管理手段は、前記電子機器の識別情報の登録の指示を受け付けた場合に、登録の指示を受け付けた前記識別情報を前記電子機器の前記機器情報に含めて管理し、
前記機器情報取得手段は、前記機器情報管理手段によって管理されている前記ＩＰアドレスによって前記ネットワークを介して前記電子機器から前記電子機器の前記識別情報を取得し、前記電子機器から取得した前記電子機器の前記識別情報と、前記機器情報管理手段によって管理されている前記識別情報とが一致する場合に、前記電子機器から前記電子機器の前記機器情報のうちの少なくとも１つの情報を取得することを特徴とする請求項１に記載のネットワークシステム。
【請求項３】
電子機器と同一のネットワークに接続されて前記電子機器の機器情報を管理する機器情報管理サーバーであって、
前記電子機器のＩＰアドレスを含む前記機器情報を管理する機器情報管理手段と、
前記機器情報管理手段によって管理されている前記ＩＰアドレスによって前記ネットワークを介して前記電子機器から前記電子機器の前記機器情報のうちの少なくとも１つの情報を取得する機器情報取得手段と
を備え、
前記機器情報管理手段は、前記電子機器の前記ＩＰアドレスの登録の指示を受け付けた場合に、登録の指示を受け付けた前記ＩＰアドレスを前記電子機器の前記機器情報に含めて管理し、
前記機器情報管理手段は、前記機器情報取得手段によって取得された情報を前記機器情報に含めて管理することを特徴とする機器情報管理サーバー。
【請求項４】
電子機器と同一のネットワークに接続されるコンピューターに、
前記電子機器のＩＰアドレスを含む、前記電子機器の機器情報を管理する機器情報管理手段と、
前記機器情報管理手段によって管理されている前記ＩＰアドレスによって前記ネットワークを介して前記電子機器から前記電子機器の前記機器情報のうちの少なくとも１つの情報を取得する機器情報取得手段と
を実現させ、
前記機器情報管理手段は、前記電子機器の前記ＩＰアドレスの登録の指示を受け付けた場合に、登録の指示を受け付けた前記ＩＰアドレスを前記電子機器の前記機器情報に含めて管理し、
前記機器情報管理手段は、前記機器情報取得手段によって取得された情報を前記機器情報に含めて管理することを特徴とする機器情報管理プログラム。
【発明の詳細な説明】
【技術分野】
【０００１】
本発明は、電子機器の機器情報が管理されるネットワークシステム、機器情報管理サーバーおよび機器情報管理プログラムに関する。
【背景技術】
【０００２】
従来のネットワークシステムとして、電子機器と、電子機器と同一のネットワークに接続されて電子機器の機器情報を管理する機器情報管理サーバーとを備えるものが知られている（例えば、特許文献１参照。）。従来のネットワークシステムの機器情報管理サーバーは、機器情報管理サーバーと同一のネットワークに接続されている電子機器をネットワークの検索によって特定した後、この電子機器から、この電子機器の機器情報を取得し、取得した機器情報を管理する。
【先行技術文献】
【特許文献】
【０００３】
【特許文献１】特開２００４−０３０２４５号公報
【発明の概要】
【発明が解決しようとする課題】
【０００４】
しかしながら、従来のネットワークシステムにおいては、例えば、電子機器の設置業者と、機器情報管理サーバーの設置業者とが異なるなどの理由によって、機器情報管理サーバーの設置後に電子機器が設置された場合に、新たに設置された電子機器の機器情報の取得のためのネットワークの検索を電子機器の設置の度に、機器情報管理サーバーの設置業者や機器情報管理サーバーの管理者など、機器情報管理サーバーの操作者が機器情報管理サーバーに実行させる必要があり、煩雑であるという問題がある。
【０００５】
そこで、本発明は、機器情報管理サーバーの設置後に電子機器が設置される場合に機器情報管理サーバーの操作者の利便性を向上することができるネットワークシステム、機器情報管理サーバーおよび機器情報管理プログラムを提供することを目的とする。
【課題を解決するための手段】
【０００６】
本発明のネットワークシステムは、電子機器と、前記電子機器と同一のネットワークに接続されて前記電子機器の機器情報を管理する機器情報管理サーバーとを備え、前記機器情報管理サーバーは、前記電子機器のＩＰアドレスを含む前記機器情報を管理する機器情報管理手段と、前記機器情報管理手段によって管理されている前記ＩＰアドレスによって前記ネットワークを介して前記電子機器から前記電子機器の前記機器情報のうちの少なくとも１つの情報を取得する機器情報取得手段とを備え、前記機器情報管理手段は、前記電子機器の前記ＩＰアドレスの登録の指示を受け付けた場合に、登録の指示を受け付けた前記ＩＰアドレスを前記電子機器の前記機器情報に含めて管理し、前記機器情報管理手段は、前記機器情報取得手段によって取得された情報を前記機器情報に含めて管理することを特徴とする。
【０００７】
この構成により、本発明のネットワークシステムは、機器情報管理サーバーの設置後に電子機器が設置される場合に、新たな電子機器が設置される前に機器情報管理サーバーがＩＰアドレスを管理しておくことによって、新たな電子機器が設置された後に、このＩＰアドレスによってネットワークを介して機器情報管理サーバーが、この電子機器から、この電子機器の機器情報を自動で取得して管理するので、機器情報管理サーバーの設置後に電子機器が設置される場合に機器情報管理サーバーの操作者の利便性を向上することができる。
【０００８】
本発明のネットワークシステムにおいて、前記機器情報管理手段は、前記電子機器の識別情報の登録の指示を受け付けた場合に、登録の指示を受け付けた前記識別情報を前記電子機器の前記機器情報に含めて管理し、前記機器情報取得手段は、前記機器情報管理手段によって管理されている前記ＩＰアドレスによって前記ネットワークを介して前記電子機器から前記電子機器の前記識別情報を取得し、前記電子機器から取得した前記電子機器の前記識別情報と、前記機器情報管理手段によって管理されている前記識別情報とが一致する場合に、前記電子機器から前記電子機器の前記機器情報のうちの少なくとも１つの情報を取得しても良い。
【０００９】
この構成により、本発明のネットワークシステムは、機器情報管理サーバーの設置後に電子機器が設置される場合に、新たな電子機器が設置される前に機器情報管理サーバーが電子機器の識別情報を管理しておくことによって、新たな電子機器が設置された後に、この識別情報によって機器情報管理サーバーが電子機器を自動で認証し、認証が成功したとき、機器情報管理サーバーが、この電子機器から、この電子機器の機器情報を自動で取得して管理するので、予定外の電子機器の機器情報を自動で取得して管理することを防止することができる。
【００１０】
本発明の機器情報管理サーバーは、電子機器と同一のネットワークに接続されて前記電子機器の機器情報を管理する機器情報管理サーバーであって、前記電子機器のＩＰアドレスを含む前記機器情報を管理する機器情報管理手段と、前記機器情報管理手段によって管理されている前記ＩＰアドレスによって前記ネットワークを介して前記電子機器から前記電子機器の前記機器情報のうちの少なくとも１つの情報を取得する機器情報取得手段とを備え、前記機器情報管理手段は、前記電子機器の前記ＩＰアドレスの登録の指示を受け付けた場合に、登録の指示を受け付けた前記ＩＰアドレスを前記電子機器の前記機器情報に含めて管理し、前記機器情報管理手段は、前記機器情報取得手段によって取得された情報を前記機器情報に含めて管理することを特徴とする。
【００１１】
この構成により、本発明の機器情報管理サーバーは、機器情報管理サーバーの設置後に電子機器が設置される場合に、新たな電子機器が設置される前にＩＰアドレスを管理しておくことによって、新たな電子機器が設置された後に、このＩＰアドレスによってネットワークを介して、この電子機器から、この電子機器の機器情報を自動で取得して管理するので、機器情報管理サーバーの設置後に電子機器が設置される場合に機器情報管理サーバーの操作者の利便性を向上することができる。
【００１２】
本発明の機器情報管理プログラムは、電子機器と同一のネットワークに接続されるコンピューターに、記電子機器のＩＰアドレスを含む、前記電子機器の機器情報を管理する機器情報管理手段と、前記機器情報管理手段によって管理されている前記ＩＰアドレスによって前記ネットワークを介して前記電子機器から前記電子機器の前記機器情報のうちの少なくとも１つの情報を取得する機器情報取得手段とを実現させ、前記機器情報管理手段は、前記電子機器の前記ＩＰアドレスの登録の指示を受け付けた場合に、登録の指示を受け付けた前記ＩＰアドレスを前記電子機器の前記機器情報に含めて管理し、前記機器情報管理手段は、前記機器情報取得手段によって取得された情報を前記機器情報に含めて管理することを特徴とする。
【００１３】
この構成により、本発明の機器情報管理プログラムを実行するコンピューターは、このコンピューターの設置後に電子機器が設置される場合に、新たな電子機器が設置される前にＩＰアドレスを管理しておくことによって、新たな電子機器が設置された後に、このＩＰアドレスによってネットワークを介して、この電子機器から、この電子機器の機器情報を自動で取得して管理するので、このコンピューターの設置後に電子機器が設置される場合に、このコンピューターの操作者の利便性を向上することができる。
【発明の効果】
【００１４】
本発明のネットワークシステム、機器情報管理サーバーおよび機器情報管理プログラムは、機器情報管理サーバーの設置後に電子機器が設置される場合に機器情報管理サーバーの操作者の利便性を向上することができる。
【図面の簡単な説明】
【００１５】
【図１】本発明の一実施の形態に係るネットワークシステムのブロック図である。
【図２】ＭＦＰである場合の図１に示す画像形成装置のブロック図である。
【図３】１台のコンピューターによって構成される場合の図１に示す機器情報管理サーバーのブロック図である。
【図４】ネットワークシステムに含まれる画像形成装置のＩＰアドレスおよびシリアル番号を指示に応じて登録する場合の、図３に示す機器情報管理サーバーの動作のフローチャートである。
【図５】ネットワークシステムに含まれる画像形成装置から機器情報を取得する場合の、図３に示す機器情報管理サーバーの動作のフローチャートである。
【図６】ネットワークシステムに含まれる画像形成装置のＩＰアドレスを指示に応じて登録する場合の、図３に示す機器情報管理サーバーの動作のフローチャートである。
【図７】ネットワークシステムに含まれる画像形成装置から機器情報を取得する場合の機器情報管理サーバーの動作であって、図５に示す動作とは異なる動作のフローチャートである。
【発明を実施するための形態】
【００１６】
以下、本発明の実施の形態について、図面を用いて説明する。
【００１７】
図１は、本発明の一実施の形態に係るネットワークシステム１０のブロック図である。
【００１８】
図１に示すように、ネットワークシステム１０は、電子機器としての画像形成装置２０を備えている。画像形成装置２０は、例えば、ＭＦＰ（Ｍｕｌｔｉｆｕｎｃｔｉｏｎ  Ｐｅｒｉｐｈｅｒａｌ）、プリンター専用機、コピー専用機、ファックス専用機およびスキャナー専用機のいずれかでも良い。ネットワークシステム１０は、画像形成装置２０と同様な画像形成装置を、画像形成装置２０以外に少なくとも１つ備えることが可能である。ネットワークシステム１０に含まれる画像形成装置は、ＬＡＮ（Ｌｏｃａｌ  Ａｒｅａ  Ｎｅｔｗｏｒｋ）などのネットワーク１１に接続されることが可能である。
【００１９】
ネットワークシステム１０は、ネットワークシステム１０に含まれる画像形成装置の機器情報を管理する機器情報管理サーバー３０を備えている。機器情報管理サーバー３０は、ネットワーク１１に接続されることが可能である。機器情報管理サーバー３０は、１台のコンピューターによって構成されても良いし、複数台のコンピューターによって構成されても良い。ここで、画像形成装置の機器情報は、この画像形成装置のファームウェアのバージョンと、この画像形成装置の印刷枚数を示すカウンター情報と、この画像形成装置のトナーの残量を示すトナーレベルと、この画像形成装置のモデル名と、この画像形成装置のＩＰ（Ｉｎｔｅｒｎｅｔ  Ｐｒｏｔｏｃｏｌ）アドレスと、この画像形成装置の識別情報であるシリアル番号とを含んでいる。
【００２０】
ネットワークシステム１０に含まれる画像形成装置と、機器情報管理サーバー３０とは、ネットワーク１１を介して互いに通信可能である。
【００２１】
図２は、ＭＦＰである場合の画像形成装置２０のブロック図である。
【００２２】
図２に示す画像形成装置２０は、種々の操作が入力される例えばボタンなどの操作デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ、インターネットなどのネットワーク経由で、または、ネットワークを介さずに有線または無線によって直接に、外部の装置と通信を行う通信デバイスである通信部２６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２７と、画像形成装置２０全体を制御する制御部２８とを備えている。
【００２３】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部２８のＣＰＵの作業領域として用いられるメモリーとしてのＲＡＭ（Ｒａｎｄｏｍ  Ａｃｃｅｓｓ  Ｍｅｍｏｒｙ）とを備えている。制御部２８のＣＰＵは、記憶部２７または制御部２８のＲＯＭに記憶されているプログラムを実行する。
【００２４】
図３は、１台のコンピューターによって構成される場合の機器情報管理サーバー３０のブロック図である。
【００２５】
図３に示す機器情報管理サーバー３０は、種々の操作が入力される例えばキーボード、マウスなどの操作デバイスである操作部３１と、種々の情報を表示する例えばＬＣＤなどの表示デバイスである表示部３２と、ＬＡＮ、インターネットなどのネットワーク経由で、または、ネットワークを介さずに有線または無線によって直接に、外部の装置と通信を行う通信デバイスである通信部３３と、各種の情報を記憶する例えば半導体メモリー、ＨＤＤなどの不揮発性の記憶デバイスである記憶部３４と、機器情報管理サーバー３０全体を制御する制御部３５とを備えている。
【００２６】
記憶部３４は、画像形成装置の機器情報を管理するための機器情報管理プログラム３４ａを記憶している。機器情報管理プログラム３４ａは、例えば、機器情報管理サーバー３０の製造段階で機器情報管理サーバー３０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリーなどの外部の記憶媒体から機器情報管理サーバー３０に追加でインストールされても良いし、ネットワーク上から機器情報管理サーバー３０に追加でインストールされても良い。
【００２７】
記憶部３４は、ネットワークシステム１０（図１参照。）に含まれる画像形成装置の機器情報を管理する機器情報データベース３４ｂを記憶している。
【００２８】
制御部３５は、例えば、ＣＰＵと、プログラムおよび各種のデータを記憶しているＲＯＭと、制御部３５のＣＰＵの作業領域として用いられるメモリーとしてのＲＡＭとを備えている。制御部３５のＣＰＵは、記憶部３４または制御部３５のＲＯＭに記憶されているプログラムを実行する。
【００２９】
制御部３５は、機器情報管理プログラム３４ａを実行することによって、ネットワークシステム１０に含まれる画像形成装置の機器情報を管理する機器情報管理手段３５ａと、機器情報管理手段３５ａによって管理されているＩＰアドレスによってネットワーク１１を介して、画像形成装置から、この画像形成装置の機器情報のうちの少なくとも１つの情報を取得する機器情報取得手段３５ｂとを実現する。
【００３０】
次に、ネットワークシステム１０の動作について説明する。
【００３１】
まず、ネットワークシステム１０に含まれる画像形成装置のＩＰアドレスおよびシリアル番号を指示に応じて登録する場合の機器情報管理サーバー３０の動作について説明する。
【００３２】
図４は、ネットワークシステム１０に含まれる画像形成装置のＩＰアドレスおよびシリアル番号を指示に応じて登録する場合の機器情報管理サーバー３０の動作のフローチャートである。
【００３３】
機器情報管理サーバー３０が起動されると、機器情報管理サーバー３０の制御部３５は、図４に示す動作を実行する。
【００３４】
図４に示すように、機器情報管理手段３５ａは、ネットワークシステム１０に含まれる画像形成装置のＩＰアドレスおよびシリアル番号の登録の指示を操作部３１または通信部３３を介して受け付けたと判断するまで、ネットワークシステム１０に含まれる画像形成装置のＩＰアドレスおよびシリアル番号の登録の指示を操作部３１または通信部３３を介して受け付けたか否かを判断する（Ｓ１０１）。
【００３５】
機器情報管理手段３５ａは、ネットワークシステム１０に含まれる画像形成装置のＩＰアドレスおよびシリアル番号の登録の指示を操作部３１または通信部３３を介して受け付けたとＳ１０１において判断すると、操作部３１または通信部３３を介して登録の指示を受け付けた、画像形成装置のＩＰアドレスおよびシリアル番号を、機器情報データベース３４ｂにおいて、この画像形成装置の機器情報に含めて管理する（Ｓ１０２）。
【００３６】
機器情報管理手段３５ａは、Ｓ１０２の処理の後、Ｓ１０１の処理を実行する。
【００３７】
なお、機器情報管理手段３５ａは、機器情報管理サーバー３０がネットワーク１１を介して画像形成装置と通信ができるか否かに関わらず、この画像形成装置のＩＰアドレスおよびシリアル番号を、機器情報データベース３４ｂにおいて、この画像形成装置の機器情報に含めて管理することが可能である。
【００３８】
次に、ネットワークシステム１０に含まれる画像形成装置から機器情報を取得する場合の機器情報管理サーバー３０の動作について説明する。
【００３９】
図５は、ネットワークシステム１０に含まれる画像形成装置から機器情報を取得する場合の機器情報管理サーバー３０の動作のフローチャートである。
【００４０】
機器情報管理サーバー３０の制御部３５は、定期的に図５に示す動作を実行する。
【００４１】
図５に示すように、機器情報取得手段３５ｂは、機器情報データベース３４ｂにＩＰアドレスが記憶されているか否かを判断する（Ｓ１２１）。
【００４２】
機器情報取得手段３５ｂは、機器情報データベース３４ｂにＩＰアドレスが記憶されているとＳ１２１において判断すると、機器情報データベース３４ｂにＩＰアドレスが記憶されている画像形成装置のうち、今回の図５に示す動作において未だ対象にしていない１つの画像形成装置のみを対象にする（Ｓ１２２）。
【００４３】
次いで、機器情報取得手段３５ｂは、機器情報データベース３４ｂに記憶されている、現在の対象の画像形成装置の機器情報に含まれるＩＰアドレスによって、ネットワーク１１を介して、この画像形成装置と通信可能であるか否かを判断する（Ｓ１２３）。
【００４４】
機器情報取得手段３５ｂは、現在の対象の画像形成装置と通信可能であるとＳ１２３において判断すると、この画像形成装置から、この画像形成装置のシリアル番号を取得する（Ｓ１２４）。
【００４５】
次いで、機器情報取得手段３５ｂは、Ｓ１２４において取得したシリアル番号と、機器情報データベース３４ｂに記憶されている、現在の対象の画像形成装置の機器情報に含まれるシリアル番号とが一致するか否かを判断する（Ｓ１２５）。
【００４６】
機器情報取得手段３５ｂは、一致するとＳ１２５において判断すると、現在の対象の画像形成装置から、この画像形成装置の機器情報のうちの少なくとも１つの情報を取得する（Ｓ１２６）。例えば、機器情報取得手段３５ｂは、現在の対象の画像形成装置の機器情報のうち、この画像形成装置のファームウェアのバージョンと、この画像形成装置のカウンター情報と、この画像形成装置のトナーレベルと、この画像形成装置のモデル名とをＳ１２６において取得する。
【００４７】
機器情報管理手段３５ａは、Ｓ１２６の処理の後、Ｓ１２６において取得された情報を、機器情報データベース３４ｂにおいて、現在の対象の画像形成装置の機器情報に含めて管理する（Ｓ１２７）。
【００４８】
機器情報取得手段３５ｂは、現在の対象の画像形成装置と通信可能ではないとＳ１２３において判断するか、一致しないとＳ１２５において判断するか、Ｓ１２７の処理が終了すると、機器情報データベース３４ｂにＩＰアドレスが記憶されている画像形成装置のうち、今回の図５に示す動作において未だ対象にしていない画像形成装置が存在するか否かを判断する（Ｓ１２８）。
【００４９】
機器情報取得手段３５ｂは、機器情報データベース３４ｂにＩＰアドレスが記憶されている画像形成装置のうち、今回の図５に示す動作において未だ対象にしていない画像形成装置が存在するとＳ１２８において判断すると、Ｓ１２２の処理を実行する。
【００５０】
機器情報取得手段３５ｂは、機器情報データベース３４ｂにＩＰアドレスが記憶されていないとＳ１２１において判断するか、機器情報データベース３４ｂにＩＰアドレスが記憶されている画像形成装置のうち、今回の図５に示す動作において未だ対象にしていない画像形成装置が存在しないとＳ１２８において判断すると、図５に示す動作を終了する。
【００５１】
以上に説明したように、ネットワークシステム１０は、機器情報管理サーバー３０の設置後に画像形成装置が設置される場合に、新たな画像形成装置が設置される前に機器情報管理サーバー３０がＩＰアドレスをＳ１０２において管理しておくことによって、新たな画像形成装置が設置された後に、このＩＰアドレスによってネットワーク１１を介して機器情報管理サーバー３０が、この画像形成装置から、この画像形成装置の機器情報を自動で取得して（Ｓ１２６）管理する（Ｓ１２７）ので、機器情報管理サーバー３０の設置後に画像形成装置が設置される場合に機器情報管理サーバー３０の操作者の利便性を向上することができる。
【００５２】
ネットワークシステム１０は、機器情報管理サーバー３０の設置後に画像形成装置が設置される場合に機器情報管理サーバー３０の操作者の利便性を向上することができるので、例えば、画像形成装置の設置業者と、機器情報管理サーバー３０の設置業者とが異なる場合に、画像形成装置の設置の時期と、機器情報管理サーバー３０の設置の時期とを合わせる必要がない。
【００５３】
ネットワークシステム１０は、機器情報管理サーバー３０の設置後に画像形成装置が設置される場合に、新たな画像形成装置が設置される前に機器情報管理サーバー３０が画像形成装置のシリアル番号をＳ１０２において管理しておくことによって、新たな画像形成装置が設置された後に、このシリアル番号によって機器情報管理サーバー３０が画像形成装置を自動で認証し（Ｓ１２５）、認証が成功したとき（Ｓ１２５でＹＥＳ）、機器情報管理サーバー３０が、この画像形成装置から、この画像形成装置の機器情報を自動で取得して（Ｓ１２６）管理する（Ｓ１２７）ので、予定外の画像形成装置の機器情報を自動で取得して管理することを防止することができる。
【００５４】
ネットワークシステム１０は、本実施の形態において、画像形成装置のＩＰアドレスおよびシリアル番号を指示に応じて登録する。しかしながら、ネットワークシステム１０は、画像形成装置のＩＰアドレスおよびシリアル番号のうちＩＰアドレスのみを指示に応じて登録しても良い。すなわち、ネットワークシステム１０は、例えば、図４および図５に示す動作に代えて、図６および図７に示す動作を実行しても良い。図６に示すＳ１４１〜Ｓ１４２の処理は、図４に示すＳ１０１〜Ｓ１０２の処理においてシリアル番号を除いたものと同様である。図７に示す動作は、図５に示す動作において、Ｓ１２４〜Ｓ１２５の処理を除いたもの、すなわち、現在の対象の画像形成装置と通信可能であるとＳ１２３において判断するとＳ１２６の処理を実行するものと同様である。
【００５５】
本発明の電子機器は、本実施の形態において画像形成装置であるが、画像形成装置以外の電子機器でも良い。
【符号の説明】
【００５６】
１０  ネットワークシステム
１１  ネットワーク
２０  画像形成装置（電子機器）
３０  機器情報管理サーバー
３４ａ  機器情報管理プログラム
３５ａ  機器情報管理手段
３５ｂ  機器情報取得手段
【図１】
2020008988.tif 000003
【図２】
2020008988.tif 000004
【図３】
2020008988.tif 000005
【図４】
2020008988.tif 000006
【図５】
2020008988.tif 000007
【図６】
2020008988.tif 000008
【図７】
2020008988.tif 000009